Podtech/llm-jp-corpus-v4-ja_patent huggingface dataset:
【手続補正書】
【提出日】平成18年7月12日(2006.7.12)
【手続補正１】
【補正対象書類名】明細書
【補正対象項目名】特許請求の範囲
【補正方法】変更
【補正の内容】
【特許請求の範囲】
【請求項１】焦点を有する音波反射板と、該音波反射板の焦点に集束された音のエネルギーの消耗を促進する音波干渉器と、前記音波反射板の焦点に集束された音を前記音波干渉器内に導入する音波導入口とを具備し、前記音波導入口を狭い導入口とすることによって、前記音波干渉器内に導入された音が逆戻りして容易に外へ出られないようにしたことを特徴とする消音装置。
【請求項２】上記音波干渉器を構成する壁面の対向する面を平行とならない変則的な反射面とし、音波干渉器内には多孔質材料を配したことを特徴とする請求項１記載の消音装置。
【手続補正書】
【提出日】平成18年5月24日(2006.5.24)
【手続補正１】
【補正対象書類名】明細書
【補正対象項目名】００５０
【補正方法】変更
【補正の内容】
【００５０】
（２）著作物情報の登録（図中の（２）参照）
著作物（作品）が制作された時点で、作品に関する種々の情報すなわち作品情報（作品名、種類、内容説明等）と、作品の著作権に関する情報すなわち個別著作権情報（著作権者氏名、写真や映画等の著作物種別、公表年月日等）とを、センター１１のホームページ５１上で、登録する（ｐ）。この登録が完了すると著作物ＩＤ（作品ＩＤ）が発行され、この著作物ＩＤが、以降、システム１０内では、その著作物に対しての検索キーとして利用される。
【手続補正書】
【提出日】平成18年6月9日(2006.6.9)
【手続補正１】
【補正対象書類名】明細書
【補正対象項目名】特許請求の範囲
【補正方法】変更
【補正の内容】
【特許請求の範囲】
【請求項１】  取引の際に使用するカードにキャラクタが対応づけられたカードシステムであって、
取引の際に使用されたカードに対応づけられたキャラクタに関するキャラクタ情報を取得する手段と、
前記キャラクタ情報に基づき、使用されたカードに対応づけられたキャラクタの画像を生成するキャラクタ画像生成手段と、
を含むことを特徴とするカードシステム。
【請求項２】  キャラクタが対応づけられたカードと、
取引の際にカードに対応したキャラクタの画像を表示する少なくとも一つのキャラクタ画像表示手段とを含み、
前記キャラクタ画像表示手段が、
取引の際に使用されたカードに対応づけられたキャラクタに関するキャラクタ情報を取得する手段と、
前記キャラクタ情報に基づき、使用されたカードに対応づけられたキャラクタの画像を生成するキャラクタ画像生成手段と、
を含むことを特徴とするカードシステム。
【請求項３】  請求項１又は２において、
カード使用の際の取引内容に関する取引情報を取得する手段を含み、
前記キャラクタ画像生成手段が、
前記取引情報に基づき、使用されたカードに対応づけられたキャラクタが取引内容を反映したリアクションを行う画像を生成する手段を含むことを特徴とするカードシステム。
【請求項４】  請求項１乃至３のいずれかにおいて、
前記キャラクタ情報はカードに対応づけられたキャラクタの育成情報を含み、
前記キャラクタ情報及びカード使用時の取引内容に基づき、カードに対応づけられたキャラクタが取引内容を反映した成長又は変化を行うための育成演算を行う手段と、
前記育成演算により生成された育成情報に基づき、前記キャラクタ情報に含まれた育成情報を更新する手段を含み、
前記キャラクタ画像生成手段は、
前記育成情報に基づき、成長又は変化したキャラクタの画像を生成する手段を含むことを特徴とするカードシステム。
【請求項５】  請求項１乃至４のいずれかにおいて、
過去のカードの使用頻度及び取引額の少なくとも一方に関する情報を含むカード使用情報を取得する手段を含み、
前記キャラクタ画像生成手段が、
前記カード使用情報に基づき、過去のカードの使用頻度及び取引額の少なくとも一方に応じてカードに対応づけられたキャラクタの機嫌度を変化させて、機嫌度に応じたキャラクタの画像を生成する手段を含むことを特徴とするカードシステム。
【請求項６】  請求項１乃至５のいずれかにおいて、
前記キャラクタ情報はカードに記憶されており、カード使用時に前記キャラクタ情報を読み込み、読み込まれた前記キャラクタ情報に基づき処理を行うことを特徴とするカードシステム。
【請求項７】  請求項６において、
第一のカードに記憶されているキャラクタ情報を、第二のカードに引く次ぐ手段を含み、
第一のカードから第二のカードにキャラクタをキャラクタ情報を引き継ぐことにより、第一のカード対応づけられているキャラクタを継続的に第二のカードに対応づけることを特徴とするカードシステム。
【請求項８】  請求項１乃至７のいずれかにおいて、
前記キャラクタ情報をユーザー識別情報に関連づけて記憶する手段と、
カード使用時に、カードに記憶されたユーザー識別情報を読み込み、当該ユーザー識別情報に関連づけて記憶されたキャラクタ情報に基づき処理を行うことを特徴とするカードシステム。
【請求項９】  請求項１乃至８のいずれかにおいて、
カード使用時にカードに対応づけられたキャラクタの画像に関連づけた音声及び音楽の少なくとも一つを生成する手段を含むことを特徴とするカードシステム。
【請求項１０】  取引の際に使用するカードであって、請求項１乃至８のいずれかのカードシステムにおいて使用可能であることを特徴とするカード。
【請求項１１】  コンピュータが使用可能な情報記憶媒体であって、
取引の際に使用されたカードに対応づけられたキャラクタに関するキャラクタ情報を取得する手段と、
前記キャラクタ情報に基づき、使用されたカードに対応づけられたキャラクタの画像を生成するキャラクタ画像生成手段と、
を実現するためのプログラムを含むことを特徴とする情報記憶媒体。
【請求項１２】  請求項１１において、
カード使用の際の取引内容に関する取引情報を取得する手段を含み、
前記キャラクタ画像生成手段が、
前記取引情報に基づき、使用されたカードに対応づけられたキャラクタが取引内容を反映したリアクションを行う画像を生成する手段と、
を実現するためのプログラムを含むことを特徴とする情報記憶媒体。
【請求項１３】  請求項１１又は１２のいずれかにおいて、
前記キャラクタ情報はカードに対応づけられたキャラクタの育成情報を含み、
前記キャラクタ情報及びカード使用時の取引内容に基づき、カードに対応づけられたキャラクタが取引内容を反映した成長又は変化を行うための育成演算を行う手段と、
前記育成演算により生成された育成情報に基づき、前記キャラクタ情報に含まれた育成情報を更新する手段を含み、
前記キャラクタ画像生成手段は、
前記育成情報に基づき、成長又は変化したキャラクタの画像を生成するためのプログラムを含むことを特徴とする情報記憶媒体。
【請求項１４】  請求項１１乃至１３のいずれかにおいて、
過去のカードの使用頻度及び取引額の少なくとも一方に関する情報を含むカード使用情報を取得する手段を含み、
前記キャラクタ画像生成手段が、
前記カード使用情報に基づき、過去のカードの使用頻度及び取引額の少なくとも一方に応じてカードに対応づけられたキャラクタの機嫌度を変化させて、機嫌度に応じたキャラクタの画像を生成するためのプログラムを含むことを特徴とする情報記憶媒体。
【請求項１５】  請求項１１乃至１４のいずれかにおいて、
前記キャラクタ情報はカードに記憶されており、カード使用時に前記キャラクタ情報を読み込み、読み込まれた前記キャラクタ情報に基づき処理を行うためのプログラムを含むことを特徴とする情報記憶媒体。
【請求項１６】  請求項１５において、
第一のカードに記憶されているキャラクタ情報を、第二のカードに引く次ぐ手段を含み、
第一のカードから第二のカードにキャラクタをキャラクタ情報を引き継ぐことにより、第一のカード対応づけられているキャラクタを継続的に第二のカードに対応づけるためのプログラムを含むことを特徴とする情報記憶媒体。
【請求項１７】  請求項１１乃至１６のいずれかにおいて、
前記キャラクタ情報をユーザー識別情報に関連づけて記憶する手段と、
カード使用時に、カードに記憶されたユーザー識別情報を読み込み、当該ユーザー識別情報に関連づけて記憶されたキャラクタ情報に基づき処理を行うためのプログラムを含むことを特徴とする情報記憶媒体。
【請求項１８】  請求項１１乃至１７のいずれかにおいて、
カード使用時にカードに対応づけられたキャラクタの画像に関連づけた音声及び音楽の少なくとも一つを生成するためのプログラムを含むことを特徴とする情報記憶媒体。
【手続補正書】
【提出日】平成18年9月22日(2006.9.22)
【手続補正１】
【補正対象書類名】明細書
【補正対象項目名】発明の名称
【補正方法】変更
【補正の内容】
【発明の名称】画像形成装置
【手続補正２】
【補正対象書類名】明細書
【補正対象項目名】特許請求の範囲
【補正方法】変更
【補正の内容】
【特許請求の範囲】
【請求項１】  画像を読み取り電気信号に変換する画像読み取り部と、前記画像読み取り部からの電気信号に基づき記録材上に画像を形成する画像形成部と、を有し、感光体と少なくとも１つのプロセス手段を備えたカートリッジが前記画像形成部の装着手段に対して着脱可能である画像形成装置において、
前記画像読み取り部は、前記画像形成部の上部に設けられ、前記画像形成部に対して、画像形成時の位置から前記装着手段を開放する位置に移動可能であることを特徴とする画像形成装置。
【請求項２】  前記画像読み取り部は、前記画像形成部に対して水平方向に移動可能であることを特徴とする請求項１に記載の画像形成装置。
【請求項３】  前記画像読み取り部は、前記画像形成部に対して垂直方向に移動可能であることを特徴とする請求項１に記載の画像形成装置。
【請求項４】  前記画像読み取り部は、前記画像形成部に対して回動可能であることを特徴とする請求項１に記載の画像形成装置。
【請求項５】  前記装着手段は前記画像形成部に対して開閉可能に設けられたカバーを有し、前記カバーを開くことにより前記カートリッジの着脱が可能であることを特徴とする請求項１に記載の画像形成装置。
【手続補正３】
【補正対象書類名】明細書
【補正対象項目名】００１１
【補正方法】変更
【補正の内容】
【００１１】
【課題を解決するための手段】
上記課題を解決するため、本発明は、画像を読み取り電気信号に変換する画像読み取り部と、前記画像読み取り部からの電気信号に基づき記録材上に画像を形成する画像形成部と、を有し、感光体と少なくとも１つのプロセス手段を備えたカートリッジが前記画像形成部の装着手段に対して着脱可能である画像形成装置において、前記画像読み取り部は、前記画像形成部の上部に設けられ、前記画像形成部に対して、画像形成時の位置から前記装着手段を開放する位置に移動可能であることを特徴とするものである。
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００３１
【補正方法】変更
【補正の内容】
【００３１】
ここで、図１は画像形成装置の使用状態、つまり画像形成時の状態を表している。この時のローラ２８とストップアーム２９そしてストップレバー３１との位置関係の詳細を示したのが図３である。図３において画像読み取り部２がＡ方向に移動しようとした時、ストップアーム２９の突起部２９ａがストップレバー３１に係合しておりストップレバーばね３２の付勢力が勝っている間は移動できない。またＢ方向に移動しようとした場合はストップレバー３１がストッパーとなるので移動できない。そしてこの状態でトナー切れが生じプロセスカートリッジ５を交換するためにカートリッジカバー２５を開けようとした状態を示したのが図４である。図４で示したようにカートリッジカバー２５が完全に開かないためにスペースが無くプロセスカートリッジ５を取り出せないことが分る。次に画像読み取り部２をある力以上でＡ方向に押し込むとストップレバー３１はストップレバーばね３２のばね力に抗してＤ方向に下がり画像読み取り部２はＡ方向に移動できる。そしてある距離だけ移動するともう一方のストップアーム２９がストップレバーばね３２のばね力に抗してストップレバー３１を押し下げて乗り越え、その後ローラ２８がストップレバー３１に当接し止まる。この状態を示したのが図５である。この状態において画像読み取り部２はＡ方向に退避したため、カートリッジカバー２５は完全に開くことができる。その結果トナー切れにおいても問題なく新品プロセスカートリッジ５に交換できることになる。
【手続補正書】
【提出日】平成17年11月10日(2005.11.10)
【手続補正１】
【補正対象書類名】明細書
【補正対象項目名】特許請求の範囲
【補正方法】変更
【補正の内容】
【特許請求の範囲】
【請求項１】
遊技盤面上に球を打ち出す遊技で所定の条件が成立すると、遊技者に有利な特賞を発生させ得る遊技機において、
可変表示装置と、可変入賞装置と、抽選実行手段と、表示制御手段と、特賞生成手段と、役物変位実行手段とを有し、
前記可変表示装置は、各種図柄が変化した後に停止する図柄変動を表示可能であり、遊技盤面上に設けられ、
前記可変入賞装置は、球の入賞が困難な通常の閉状態と、球の入賞が容易な開状態とに変位可能であり、遊技盤面上に設けられ、
前記抽選実行手段は、遊技中に所定の始動条件が成立した場合に、乱数を用いた無作為抽選を実行し、
前記表示制御手段は、前記抽選実行手段の抽選結果に応じて、先ず前記可変表示装置で一の図柄変動を実行し、
前記特賞生成手段は、前記一の図柄変動の結果が予め定めた大当たり表示に相当した場合に、前記特賞を発生させ、
再び前記表示制御手段は、前記特賞が発生した場合にはその発生中または終了時に、前記抽選実行手段の抽選結果に応じて、今度は前記可変表示装置で別の図柄変動を実行し、
前記役物変位実行手段は、前記別の図柄変動の結果が予め定めた大当たり表示に相当した場合に、前記可変入賞装置を所定時間にわたり連続的または間欠的に開状態に変位させることを特徴とする遊技機。
【請求項２】
前記一の図柄変動の結果が大当たり表示に確定する確率よりも、前記別の図柄変動の結果が大当たり表示に相当する確率を高く設定したことを特徴とする請求項１記載の遊技機。
【請求項３】
前記特賞が発生している最中に、前記可変表示装置で別の図柄変動が所定回数を限度に繰り返し実行され、該別の図柄変動の結果が予め定めた大当たり表示に相当する度に、前記可変入賞装置が所定時間にわたり連続的または間欠的に開状態に変位することを特徴とする請求項１または２記載の遊技機。
【請求項４】
前記特賞が終了した際、前記可変表示装置で別の図柄変動が１回実行され、該別の図柄変動の結果が予め定めた大当たり表示に相当した場合に、前記可変入賞装置が所定時間にわたり連続的または間欠的に開状態に変位することを特徴とする請求項１または２記載の遊技機。
【請求項５】
前記可変表示装置および可変入賞装置を、それぞれ一体化させて一つの役物として構成したことを特徴とする請求項１，２，３または４記載の遊技機。
【請求項６】
前記可変入賞装置は、左右に離隔して配され回動可能な一対の可動片を有し、各可動片間の下側に、前記可変表示装置を配設して成ることを特徴とする請求項５記載の遊技機。
【請求項７】
前記可変表示装置の画面全体に、先ず前記一の図柄変動が表示され、該一の図柄変動の結果が大当たり表示に相当したときに、前記可変表示装置の画面が分割され、一方の分割画面に前記一の図柄変動の大当たり表示が表示され、他方の分割画面に前記別の図柄変動が表示されることを特徴とする請求項１，２，３，４，５または６記載の遊技機。
【手続補正２】
【補正対象書類名】明細書
【補正対象項目名】００１５
【補正方法】削除
【補正の内容】
【手続補正３】
【補正対象書類名】明細書
【補正対象項目名】００１６
【補正方法】削除
【補正の内容】
【手続補正４】
【補正対象書類名】明細書
【補正対象項目名】００１７
【補正方法】削除
【補正の内容】
【手続補正５】
【補正対象書類名】明細書
【補正対象項目名】００１８
【補正方法】削除
【補正の内容】
【手続補正６】
【補正対象書類名】明細書
【補正対象項目名】００１９
【補正方法】削除
【補正の内容】
【手続補正７】
【補正対象書類名】明細書
【補正対象項目名】００３３
【補正方法】削除
【補正の内容】
【手続補正８】
【補正対象書類名】明細書
【補正対象項目名】００３４
【補正方法】削除
【補正の内容】
【手続補正９】
【補正対象書類名】明細書
【補正対象項目名】００３５
【補正方法】削除
【補正の内容】
【手続補正１０】
【補正対象書類名】明細書
【補正対象項目名】００３６
【補正方法】削除
【補正の内容】
【手続補正１１】
【補正対象書類名】明細書
【補正対象項目名】００３７
【補正方法】削除
【補正の内容】
【手続補正書】
【提出日】平成18年6月1日(2006.6.1)
【手続補正１】
【補正対象書類名】明細書
【補正対象項目名】発明の名称
【補正方法】変更
【補正の内容】
【発明の名称】通信システム及び通信装置
【手続補正２】
【補正対象書類名】明細書
【補正対象項目名】特許請求の範囲
【補正方法】変更
【補正の内容】
【特許請求の範囲】
【請求項１】  リモコンにより遠隔操作される第１の機器と、
前記第１の機器により遠隔操作される第２の機器とを有し、
前記第２の機器は、前記第２の機器を遠隔操作するための操作情報を前記リモコンの操作部に関するリモコン情報に基づいて生成することを特徴とする通信システム。
【請求項２】  前記リモコンは、複数の操作キーを有することを特徴とする請求項１に記載の通信システム。
【請求項３】  前記リモコン情報は、前記複数の操作キーの位置を示す情報を含むことを特徴とする請求項２に記載の通信システム。
【請求項４】  前記リモコン情報は、前記複数の操作キーの大きさを示す情報を含むことを特徴とする請求項２に記載の通信システム。
【請求項５】  前記リモコン情報は、前記複数の操作キーの形状を示す情報を含むことを特徴とする請求項２に記載の通信システム。
【請求項６】  前記第１の機器は、前記操作情報を表示部に表示することを特徴とする請求項１〜５のいずれかに記載の通信システム。
【請求項７】  前記第１の機器は、前記操作情報に基づいて前記第２の機器を遠隔操作することを特徴とする請求項１〜６のいずれかに記載の通信システム。
【請求項８】  前記操作情報は、前記リモコンにより操作可能であることを特徴とする請求項１〜７のいずれかに記載の通信システム。
【請求項９】  前記操作情報は、前記リモコンの操作に応じて視覚的に変化することを特徴とする請求項１〜８のいずれかに記載の通信システム。
【請求項１０】  前記操作情報は、前記第２の機器の遠隔操作可能な機能を表わす画像情報を含むことを特徴とする請求項１〜９のいずれかに記載の通信システム。
【請求項１１】  前記画像情報はアイコン情報であることを特徴とする請求項１０に記載の通信システム。
【請求項１２】  前記第１の機器は、ディジタルテレビであることを特徴とする請求項１〜１１のいずれかに記載の通信システム。
【請求項１３】  自己の機能を遠隔操作するリモコンの操作部に関するリモコン情報を外部機器に送出すると共に、当該外部機器が前記リモコン情報に基づいて生成した操作情報を受信する通信手段と、
前記操作情報に基づいて前記外部機器を遠隔制御する制御手段とを有することを特徴とする通信装置。
【請求項１４】  前記操作情報は、前記リモコンにより操作可能であることを特徴とすることを特徴とする請求項１３に記載の通信装置。
【請求項１５】  外部機器を遠隔操作するリモコンの操作部に関するリモコン情報に基づいて、自己の機能を遠隔操作するための操作情報を生成する操作情報生成手段と、
前記操作情報を前記外部機器に送出する通信手段とを有することを特徴とする通信装置。
【手続補正３】
【補正対象書類名】明細書
【補正対象項目名】０００１
【補正方法】変更
【補正の内容】
【０００１】
【発明の属する技術分野】
本発明は、通信システム及び通信装置に関するものである。
【手続補正４】
【補正対象書類名】明細書
【補正対象項目名】０００７
【補正方法】変更
【補正の内容】
【０００７】
【課題を解決するための手段】
本発明に係る通信システムは、例えば、リモコンにより遠隔操作される第１の機器と、前記第１の機器により遠隔操作される第２の機器とを有し、前記第２の機器は、前記第２の機器を遠隔操作するための操作情報を前記リモコンの操作部に関するリモコン情報に基づいて生成することを特徴とする。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】変更
【補正の内容】
【００１２】
本発明に係る通信装置は、例えば、自己の機能を遠隔操作するリモコンの操作部に関するリモコン情報を外部機器に送出すると共に、当該外部機器が前記リモコン情報に基づいて生成した操作情報を受信する通信手段と、前記操作情報に基づいて前記外部機器を遠隔制御する制御手段とを有することを特徴とする。
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】変更
【補正の内容】
【００１５】
本発明に係る他の通信装置は、外部機器を遠隔操作するリモコンの操作部に関するリモコン情報に基づいて、自己の機能を遠隔操作するための操作情報を生成する操作情報生成手段と、前記操作情報を前記外部機器に送出する通信手段とを有することを特徴とする。
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正書】
【提出日】平成18年4月12日(2006.4.12)
【手続補正１】
【補正対象書類名】明細書
【補正対象項目名】発明の名称
【補正方法】変更
【補正の内容】
【発明の名称】電子内視鏡システムにおける映像信号処理装置
【手続補正２】
【補正対象書類名】明細書
【補正対象項目名】特許請求の範囲
【補正方法】変更
【補正の内容】
【特許請求の範囲】
【請求項１】  
先端部に撮像素子を備えた内視鏡に接続され、観察画像をモニタに表示する電子内視鏡システムにおける映像信号処理装置において、
前記撮像素子から得られる撮像信号から第１の映像信号を得る第１の映像信号処理手段と、
前記第１の映像信号に少なくともホワイトバランス補正処理を施して第２の映像信号を得る第２の映像信号処理手段と、
前記第２の映像信号処理手段におけるホワイトバランス補正係数を用いて、前記第１の映像信号に関する色特性情報を生成する色特性判断手段と、
前記第２の映像信号の色相が所定の色相範囲にある場合に前記第２の映像信号に対する色補正量を算出する色補正量算出手段と、
前記色補正量算出手段により得られた補正量及び前記色特性判断手段の判断結果に応じて、前記第２の映像信号に対する色補正処理を変更する第３の映像信号処理手段と、
を備えたことを特徴とする電子内視鏡システムにおける映像信号処理装置。
【手続補正３】
【補正対象書類名】明細書
【補正対象項目名】０００１
【補正方法】変更
【補正の内容】
【０００１】
【発明の属する技術分野】
本発明は、内視鏡に設けられた撮像装置で得られる撮像信号に映像信号処理を施す映像信号処理装置に関し、特に色再現性を向上するための手段に特徴がある電子内視鏡システムにおける映像信号処理装置に関する。
【手続補正４】
【補正対象書類名】明細書
【補正対象項目名】００１０
【補正方法】変更
【補正の内容】
【００１０】
【課題を解決するための手段】
前記目的を達成するため、本発明の映像信号処理装置は、先端部に撮像素子を備えた内視鏡に接続され、観察画像をモニタに表示する電子内視鏡システムにおける映像信号処理装置において、前記撮像素子から得られる撮像信号から第１の映像信号を得る第１の映像信号処理手段と、前記第１の映像信号に少なくともホワイトバランス補正処理を施して第２の映像信号を得る第２の映像信号処理手段と、前記第２の映像信号処理手段におけるホワイトバランス補正係数を用いて、前記第１の映像信号に関する色特性情報を生成する色特性判断手段と、前記第２の映像信号の色相が所定の色相範囲にある場合に前記第２の映像信号に対する色補正量を算出する色補正量算出手段と、前記色補正量算出手段により得られた補正量及び前記色特性判断手段の判断結果に応じて、前記第２の映像信号に対する色補正処理を変更する第３の映像信号処理手段とを備えたことを特徴としている。
【手続補正５】
【補正対象書類名】明細書
【補正対象項目名】００３６
【補正方法】変更
【補正の内容】
【００３６】
色補正回路３７では、色相特性判断回路７１により、ホワイトバランス補正回路３５から与えられるホワイトバランス補正量ＲＷＢ、ＢＷＢを基に、色相特性情報が得られる。本実施の形態では、色相特性情報ＤＥＴａは、比較回路７１ａにより得られ、例えば、ＲＷＢ＜ＢＷＢのときに、ＤＥＴａ＝０となり、ＲＷＢ＞ＢＷＢのときに、ＤＥＴａ＝１となる。ここで、色相特性情報ＤＥＴａは、ホワイトバランス補正量ＲＷＢ、ＢＷＢの大小関係を示す情報であり、つまり、ホワイトバランス補正回路３５におけるＲ信号及びＢ信号に対する補正量つまり利得の大小関係を示す情報である。
【手続補正６】
【補正対象書類名】明細書
【補正対象項目名】００３７
【補正方法】変更
【補正の内容】
【００３７】
色相特性情報ＤＥＴａの値が０のとき、つまり、ＲＷＢ＜ＢＷＢのときは、Ｒ信号に対する利得が小さく、色信号変換回路３４から出力されるＢ信号とＲ信号との関係がＢ＜Ｒとなっている状態であり、Ｒ成分が強くなるような色特性を撮像装置１６及び光源装置３が有している傾向があると推測される。例えば、光源装置３の光源ランプとして一般に使用されるキセノンランプとハロゲンランプとでは、ハロゲンランプの方が色温度が低く赤成分が強いので、光源装置３にハロゲンランプが使用されていると、色相特性情報ＤＥＴａの値が０となる傾向がある。
【手続補正書】
【提出日】平成18年5月31日(2006.5.31)
【手続補正１】
【補正対象書類名】明細書
【補正対象項目名】特許請求の範囲
【補正方法】変更
【補正の内容】
【特許請求の範囲】
【請求項１】  モータの回転部材を１個の転がり軸受で支持させると共に、当該軸受に予圧が付与されていることを特徴とする情報機器用小型モータ。
【請求項２】  上記転がり軸受の転動体数を５個にすると共に、当該転がり軸受における転動体の負荷率を４０％以上に設定したことを特徴とする請求項１に記載した情報機器用小型モータ。
【手続補正２】
【補正対象書類名】明細書
【補正対象項目名】０００８
【補正方法】変更
【補正の内容】
【０００８】
【課題を解決するための手段】
上記課題を解決するために、本発明の情報機器用小型モータは、モータの回転部材を１個の転がり軸受で支持させると共に、当該軸受に予圧が付与されていることを特徴とするものである。
また、上記転がり軸受の転動体数を５個にすると共に、当該転がり軸受における転動体の負荷率を４０％以上に設定したことを特徴とするものである。
モータの回転部材を１個の軸受で支持させることにより、モータの厚さ方向に２個の軸受を並べて回転部材を支持させる場合に比べて大幅にモータの薄型化を達成可能となる。
【手続補正書】
【提出日】平成18年3月10日(2006.3.10)
【手続補正１】
【補正対象書類名】明細書
【補正対象項目名】発明の名称
【補正方法】変更
【補正の内容】
【発明の名称】バッテリ残量表示機能付き電子機器、バッテリ残量表示方法、バッテリ
【手続補正２】
【補正対象書類名】明細書
【補正対象項目名】特許請求の範囲
【補正方法】変更
【補正の内容】
【特許請求の範囲】
【請求項１】  バッテリセルと、上記バッテリセルの放電電流情報を生成する制御手段とを有するバッテリが装着される装着手段と、
上記バッテリからの放電電流情報を受信する通信手段と、
上記通信手段により受信された上記放電電流情報と予め記憶された機器本体の消費電力情報を乗じて上記バッテリセルのバッテリ残量情報を生成する演算手段と、
上記演算手段により生成されたバッテリ残量情報を表示する表示手段とを備えるバッテリ残量表示機能付き電子機器。
【請求項２】  上記表示手段は、上記バッテリ残量情報を表示する第１の表示手段と第２の表示手段とを有し、
上記演算手段は、上記第１の表示手段を使用しているときの第１の消費電力情報と、上記第２の表示手段を使用しているときの第２の消費電力情報と、上記第１の表示手段と上記第２の表示手段とを使用したときの第３の消費電力情報とを予め記憶していることを特徴とする請求項１記載のバッテリ残量表示機能付き電子機器。
【請求項３】  上記表示手段は、上記バッテリ残量情報を機器本体の残り使用可能時間に換算した時間表示部及び／又は上記バッテリの満充電状態に対する現在のバッテリ残量の割合を示す割合表示部を表示することを特徴とする請求項１記載のバッテリ残量表示機能付き電子機器。
【請求項４】  バッテリセルと、上記バッテリセルの放電電流情報を生成する制御手段とを有するバッテリが機器本体の装着手段に装着されたとき、上記バッテリからの放電電流情報を受信するステップと、
上記受信した放電電流情報と予め記憶された機器本体の消費電力情報を乗じて上記バッテリセルのバッテリ残量情報を生成するステップと、
上記生成したバッテリ残量情報を機器本体の表示手段に表示するステップとを有するバッテリ残量表示方法。
【請求項５】  バッテリセルと、上記バッテリセルの放電電流情報を生成する制御手段とを備え、
上記電子機器の装着手段に装着されたとき、上記電子機器によって上記放電電流情報が読み出され、この読み出された放電電流情報と予め記憶された消費電力情報を乗じて上記バッテリセルのバッテリ残量情報が生成され、上記電子機器の表示手段に上記バッテリ残量情報が表示されるバッテリ。
【手続補正３】
【補正対象書類名】明細書
【補正対象項目名】０００１
【補正方法】変更
【補正の内容】
【０００１】
【発明の属する技術分野】本発明は、ビデオカメラ装置、携帯型電話機、携帯型情報端末装置等で電子機器の電源として用いられるバッテリパックの残量を表示することができるバッテリ残量表示機能付き電子機器、バッテリ残量表示方法、バッテリに関する。
【手続補正４】
【補正対象書類名】明細書
【補正対象項目名】０００５
【補正方法】変更
【補正の内容】
【０００５】
そこで、本発明は、機器本体の使用状態が頻繁に切り換えられた場合にも、バッテリの残量表示を正確に行うことができるバッテリ残量表示機能付き電子機器、バッテリ残量表示方法、バッテリを提供することを目的とする。
【手続補正５】
【補正対象書類名】明細書
【補正対象項目名】０００８
【補正方法】変更
【補正の内容】
【０００８】
具体的に、表示手段の表示画面には、バッテリ残量情報を機器本体の残り使用可能時間に換算した時間表示部及び／又はバッテリの満充電状態に対する現在のバッテリ残量の割合を示す割合表示部が表示される。
また、本発明に係るバッテリ残量表示方法は、バッテリセルと、上記バッテリセルの放電電流情報を生成する制御手段とを有するバッテリが機器本体の装着手段に装着されたとき、上記バッテリからの放電電流情報を受信するステップと、上記受信した放電電流情報と予め記憶された機器本体の消費電力情報を乗じて上記バッテリセルのバッテリ残量情報を生成するステップと、上記生成したバッテリ残量情報を機器本体の表示手段に表示するステップとを有する。
また、本発明に係るバッテリは、バッテリセルと、上記バッテリセルの放電電流情報を生成する制御手段とを備え、上記電子機器の装着手段に装着されたとき、上記電子機器によって上記放電電流情報が読み出され、この読み出された放電電流情報と予め記憶された消費電力情報を乗じて上記バッテリセルのバッテリ残量情報が生成され、上記電子機器の表示手段に上記バッテリ残量情報が表示される。
【手続補正６】
【補正対象書類名】明細書
【補正対象項目名】００８１
【補正方法】変更
【補正の内容】
【００８１】
【発明の効果】
本発明によれば、バッテリ残量情報を算出する際に用いる消費電力情報が予め演算手段に記憶されていることから、機器本体の使用状況が頻繁に変更され、消費電力が頻繁に変化した場合であっても、各状態に応じた消費電力を算出する必要がなく、従って、表示手段に表示されるバッテリ残量情報を安定した状態で表示させることができる。例えば表示手段を２つ有する場合、第１の表示手段を用いた場合の第１の消費電力情報と第２の表示手段の消費電力情報と第１の表示手段と第２の表示手段とを用いた第３の消費電力情報を予め演算手段に記憶させておくことで、表示手段の使用状態を頻繁に切り換えた場合でも、表示手段の使用状態に応じて安定した状態でバッテリ残量表示を行うことができる。
【手続補正書】
【提出日】平成18年3月9日(2006.3.9)
【手続補正１】
【補正対象書類名】明細書
【補正対象項目名】発明の名称
【補正方法】変更
【補正の内容】
【発明の名称】デジタルカメラ及びその操作確認方法
【手続補正２】
【補正対象書類名】明細書
【補正対象項目名】特許請求の範囲
【補正方法】変更
【補正の内容】
【特許請求の範囲】
【請求項１】  被写体を撮像する撮像手段と、
操作者により操作入力がされる操作入力手段と、
外部より音声を入力して音声データに変換する外部音声入力手段と、
画像データ及び音声データを記録媒体に記録し、画像データ及び音声データを上記記録媒体から再生する記録再生手段と、
上記外部音声入力手段により入力される音声データ及び上記記録再生手段により再生される音声データの処理を行う音声信号処理手段と、
上記撮像手段により撮像される画像データ及び上記記録再生手段により再生される画像データの処理を行う画像信号処理手段と、
上記画像データを表示する画像信号表示手段と、上記操作入力手段によって操作入力を行うときに発する操作確認音のサンプリングデータを記憶するサンプリングデータ記憶手段と、上記操作確認音を出力する音声出力手段とを備え、
上記サンプリングデータ記憶手段は、上記サンプリングデータの書き換えが可能であり、上記音声信号処理手段は、上記操作入力手段からの操作入力に応じて、上記サンプリングデータ記憶手段に記憶されている音声サンプリングデータを取り出し、上記音声出力手段を介して操作確認音として出力することを特徴とするデジタルカメラ。
【請求項２】  上記音声信号処理手段は、上記外部音声入力手段により入力された音声信号を処理して、上記サンプリングデータ記憶手段に記憶することを特徴とする請求項１記載のデジタルカメラ。
【請求項３】  上記音声処理手段は、上記記録再生手段により上記記録媒体から入力される音声データを、上記サンプリングデータ記憶手段に記憶することを特徴とする請求項１記載のデジタルカメラ。
【請求項４】  着脱可能な外部記録再生手段を備え、上記音声信号処理手段は、上記外部記録再生手段から入力される音声データを読み出して処理し、上記音声出力手段より操作確認音として出力することを特徴とする請求項１記載のデジタルカメラ。
【請求項５】
被写体を撮像する撮像手段と、操作者により操作入力がされる操作入力手段と、外部より音声を入力して音声データに変換する外部音声入力手段と、画像データ及び音声データを記録媒体に記録し、画像データ及び音声データを上記記録媒体から再生する記録再生手段と、上記外部音声入力手段により入力される音声データ及び上記記録再生手段により再生される音声データの処理を行う音声信号処理手段と、上記撮像手段により撮像される画像データ及び上記記録再生手段により再生される画像データの処理を行う画像信号処理手段と、上記画像データを表示する画像信号表示手段とを備えるデジタルカメラの操作確認方法であって、
サンプリングデータの書き換えが可能なサンプリングデータ記憶手段に上記操作入力手段によって操作入力を行うときに発する操作確認音のサンプリングデータを記憶しておき、
上記音声信号処理手段により、上記操作入力手段からの操作入力に応じて、上記サンプリングデータ記憶手段に記憶されている音声サンプリングデータを取り出し、音声出力手段を介して操作確認音として出力することを特徴とするデジタルカメラの操作確認方法。
【手続補正３】
【補正対象書類名】明細書
【補正対象項目名】０００１
【補正方法】変更
【補正の内容】
【０００１】
本発明は、音声記録再生機能を備えるデジタルカメラ及びその操作確認方法に関する。
【手続補正４】
【補正対象書類名】明細書
【補正対象項目名】００３２
【補正方法】変更
【補正の内容】
【００３２】
本発明は、以上のような実情に鑑みて提案されたものであり、部品点数の削減が達成されるとともに、操作確認音が自在に書き換え可能なデジタルカメラ及びその操作確認方法を提供することを目的とする。
【手続補正５】
【補正対象書類名】明細書
【補正対象項目名】００３４
【補正方法】変更
【補正の内容】
【００３４】
以上のように構成された本発明に係るデジタルカメラは、操作入力の際の操作確認音を、専用の音源ＩＣ及びＩＣ以外の音源から再生する代わりに、操作確認音の音声データを書き換え可能な不揮発性メモリに記憶させ、その不揮発性メモリより音声データを取り出して再生する。
また、本発明は、被写体を撮像する撮像手段と、操作者により操作入力がされる操作入力手段と、外部より音声を入力して音声データに変換する外部音声入力手段と、画像データ及び音声データを記録媒体に記録し、画像データ及び音声データを上記記録媒体から再生する記録再生手段と、上記外部音声入力手段により入力される音声データ及び上記記録再生手段により再生される音声データの処理を行う音声信号処理手段と、上記撮像手段により撮像される画像データ及び上記記録再生手段により再生される画像データの処理を行う画像信号処理手段と、上記画像データを表示する画像信号表示手段とを備えるデジタルカメラの操作確認方法であって、サンプリングデータの書き換えが可能なサンプリングデータ記憶手段に上記操作入力手段によって操作入力を行うときに発する操作確認音のサンプリングデータを記憶しておき、 上記音声信号処理手段により、上記操作入力手段からの操作入力に応じて、上記サンプリングデータ記憶手段に記憶されている音声サンプリングデータを取り出し、音声出力手段を介して操作確認音として出力することを特徴とする。
【手続補正書】
【提出日】平成18年3月17日(2006.3.17)
【手続補正１】
【補正対象書類名】明細書
【補正対象項目名】発明の名称
【補正方法】変更
【補正の内容】
【発明の名称】ビデオカメラおよび表示方法
【手続補正２】
【補正対象書類名】明細書
【補正対象項目名】特許請求の範囲
【補正方法】変更
【補正の内容】
【特許請求の範囲】
【請求項１】  画像作成装置により編集作成される静止画像の画像データが記録された記録媒体から、前記画像データを読み取り、画素データに変換して取り込む画素データ取込手段と、
該画素データ取込手段が取込んだ画素データに基づいて、前記静止画像の画像サイズ情報を検出する画像情報検出手段と、
前記画素データを所定の条件で画像メモリに書き込む書込手段と、
前記画像メモリから読出した画素データにサンプリング数変換を施すサンプリング数変換手段と、
該サンプリング数変換手段により、サンプリング数変換が施された画像データに基づいて、ビデオ信号を作成しモニタに表示するビデオ信号作成表示手段と、
前記画像サイズ情報に基づき、前記書込手段の書込条件の設定制御と、前記サンプリング数変換手段の変換動作の制御とを行う制御手段と
を有することを特徴とするビデオカメラ。
【請求項２】 画像作成装置により編集作成される静止画像の画像データが記録された記録媒体から、前記画像データを読み取り、画素データに変換して取り込み、
取込んだ画素データに基づいて、前記静止画像の画像サイズ情報を検出し、
前記画素データを所定の条件で画像メモリに書き込み、
前記画像メモリから読出した画素データにサンプリング数変換を施し、
サンプリング数変換が施された画像データに基づいて、ビデオ信号を作成しモニタに表示し、
前記画像サイズ情報に基づき、書込条件の設定制御と、変換動作の制御とを行う
ことを特徴とする表示方法。
【手続補正３】
【補正対象書類名】明細書
【補正対象項目名】０００１
【補正方法】変更
【補正の内容】
【０００１】
【発明の属する技術分野】
本発明は、画像作成装置で作成された静止画像を再生するビデオカメラおよび表示方法に関する。
【手続補正４】
【補正対象書類名】明細書
【補正対象項目名】０００４
【補正方法】変更
【補正の内容】
【０００４】
本発明は、前述したようなビデオカメラの動作の現状に鑑みてなされたものであり、その目的は、画像作成装置で作成された各種のアスペクト比の画像のデータを取込んでモニタ表示することが可能なビデオカメラを提供するか、または画像作成装置で作成された各種のアスペクト比の画像のデータを取込んでモニタ表示する表示方法を提供することにある。
【手続補正５】
【補正対象書類名】明細書
【補正対象項目名】０００５
【補正方法】変更
【補正の内容】
【０００５】
【課題を解決するための手段】
前記目的を達成するために、請求項１記載の発明は、画像作成装置により編集作成される静止画像の画像データが記録された記録媒体から、前記画像データを読み取り、画素データに変換して取り込む画素データ取込手段と、
該画素データ取込手段が取込んだ画素データに基づいて、前記静止画像の画像サイズ情報を検出する画像情報検出手段と、
前記画素データを所定の条件で画像メモリに書き込む書込手段と、
前記画像メモリから読出した画素データにサンプリング数変換を施すサンプリング数変換手段と、
該サンプリング数変換手段により、サンプリング数変換が施された画像データに基づいて、ビデオ信号を作成しモニタに表示するビデオ信号作成表示手段と、
前記画像サイズ情報に基づき、前記書込手段の書込条件の設定制御と、前記サンプリング数変換手段の変換動作の制御とを行う制御手段と
を有することを特徴とするものである。
また、前記目的を達成するために、請求項２に記載の表示方法は、画像作成装置により編集作成される静止画像の画像データが記録された記録媒体から、前記画像データを読み取り、画素データに変換して取り込み、
取込んだ画素データに基づいて、前記静止画像の画像サイズ情報を検出し、
前記画素データを所定の条件で画像メモリに書き込み、
前記画像メモリから読出した画素データにサンプリング数変換を施し、
サンプリング数変換が施された画像データに基づいて、ビデオ信号を作成しモニタに表示し、
前記画像サイズ情報に基づき、書込条件の設定制御と、変換動作の制御とを行う
ことを特徴とするものである。
【手続補正６】
【補正対象書類名】明細書
【補正対象項目名】００１６
【補正方法】変更
【補正の内容】
【００１６】
【発明の効果】
請求項１記載の発明によると、画素データ取込手段によって、コンピュータにより編集作成される静止画像の画像データが、記録媒体から読み取られ画素データに変換されて取り込まれ、取込まれた画素データに基づいて、画像情報検出手段によって、静止画像の画像サイズ情報が検出され、検出された画像サイズに基づく制御手段の制御によって、書込手段によつて取込まれた画素データが所定の条件で画像メモリに書き込まれると共に、サンプリング数変換手段によって、画像メモリから読出された画素データにサンプリング数変換が施され、ビデオ信号作成表示手段によって、サンプリング数変換が施された画像データに基づいて、ビデオ信号が作成されテレビモニタに表示されるので、コンピュータで編集作成された各種の画像サイズの静止画像のデータを、記録媒体から読み取ってモニタに再生表示することにより、コンピュータでの処理情報のアスペクト比に制限されずにデオカメラによる表示が可能となり、ビデオカメラの情報処理機能を大幅に向上させることが可能になる。
また、請求項２記載の発明によると、コンピュータにより編集作成される静止画像の画像データが、記録媒体から読み取られ画素データに変換されて取り込まれ、取込まれた画素データに基づいて、静止画像の画像サイズ情報が検出され、検出された画像サイズに基づく制御によって、取込まれた画素データが所定の条件で画像メモリに書き込まれると共に、画像メモリから読出された画素データにサンプリング数変換が施され、サンプリング数変換が施された画像データに基づいて、ビデオ信号が作成されテレビモニタに表示されるので、コンピュータで編集作成された各種の画像サイズの静止画像のデータを、記録媒体から読み取ってモニタに再生表示することにより、コンピュータでの処理情報のアスペクト比に制限されずにデオカメラによる表示が可能となり、ビデオカメラの情報処理機能を大幅に向上させることが可能になる。
【手続補正書】
【提出日】平成18年3月9日(2006.3.9)
【手続補正１】
【補正対象書類名】明細書
【補正対象項目名】発明の名称
【補正方法】変更
【補正の内容】
【発明の名称】デジタルカメラ及びその制御方法
【手続補正２】
【補正対象書類名】明細書
【補正対象項目名】特許請求の範囲
【補正方法】変更
【補正の内容】
【特許請求の範囲】
【請求項１】  被写体を撮像して画像信号を生成する撮像手段と、
上記撮像手段により撮像して得られた画像信号から静止画像の画像信号を生成する画像生成手段と、
上記画像生成手段により生成された静止画像の画像信号を記録媒体に記録し、上記記録媒体に記録された静止画像の画像信号を再生する記録再生手段と、
操作入力用の画像信号をモニタ上に表示するとともに、上記モニタが触れられることにより操作入力を受け付ける表示入力手段と、
画像信号を上記表示入力手段のモニタ上に表示することに対する制御、並びに上記表示入力手段が受け付けた操作入力に応じて上記画像生成手段及び上記記録再生手段及び上記表示入力手段に対する制御を行う制御手段とを備え、
上記制御手段は、上記記録媒体に記録された静止画像を示すインデックス画像を含む操作入力用の画像信号を生成して上記表示入力手段の上記モニタ上に表示し、上記モニタ上に表示した上記インデックス画像が触れられることにより選択された静止画像に対する制御を行うことを特徴とするデジタルカメラ。
【請求項２】  上記制御手段は、インデックス画像に触れることにより選択された静止画像を上記表示入力手段のモニタに表示することを特徴とする請求項１記載のデジタルカメラ。
【請求項３】  上記制御手段は、インデックス画像に触れることにより選択された静止画像画像の消去に関する情報を上記記録媒体に記録することを特徴とする請求項１記載のデジタルカメラ。
【請求項４】  上記制御手段は、インデックス画像に触れることにより選択された静止画像のプリントアウトに関する情報を上記記録媒体に記録することを特徴とする請求項１記載のデジタルカメラ。
【請求項５】  上記制御手段は、インデックス画像に触れることにより選択された静止画像を上記記録媒体から消去することを特徴とする請求項１記載のデジタルカメラ。
【請求項６】  被写体を撮像して画像信号を生成する撮像手段により撮像して得られた画像信号から画像生成手段により静止画像の画像信号を生成し、上記画像生成手段により生成された静止画像の画像信号を記録媒体に記録し、上記記録媒体に記録された静止画像の画像信号を再生するデジタルカメラの制御方法であって、
操作入力用の画像信号をモニタ上に表示するとともに、上記モニタが触れられることにより操作入力を受け付け、
上記記録媒体に記録された静止画像を示すインデックス画像を含む操作入力用の画像信号を生成して上記表示入力手段の上記モニタ上に表示し、上記モニタ上に表示した上記インデックス画像が触れられることにより選択された静止画像に対する制御を行うことを特徴とするデジタルカメラの制御方法。
【手続補正３】
【補正対象書類名】明細書
【補正対象項目名】０００１
【補正方法】変更
【補正の内容】
【０００１】
本発明は、本発明は、静止画像を撮像するデジタルカメラ及びその制御方法に関する。
【手続補正４】
【補正対象書類名】明細書
【補正対象項目名】０００９
【補正方法】変更
【補正の内容】
【０００９】
本発明はこのような従来の実状に鑑みて提案されたものであり、デジタルカメラの画面上での操作を簡便にし、操作ミス等のトラブルをおこりにくくすることで、従来以上に使いやすいデジタルカメラ及びその制御方法を提供することを目的とする。
【手続補正５】
【補正対象書類名】明細書
【補正対象項目名】００１１
【補正方法】変更
【補正の内容】
【００１１】
以上のように構成された本発明に係るデジタルカメラは、インデックス画像に直接触れることによって静止画像を選択する。また、上記モニタに表示された各種操作キーに直接触れることで、選択した静止画像に対する表示、消去、誤消去防止、プリントアウトの各処理を行う。
また、本発明は、被写体を撮像して画像信号を生成する撮像手段により撮像して得られた画像信号から画像生成手段により静止画像の画像信号を生成し、上記画像生成手段により生成された静止画像の画像信号を記録媒体に記録し、上記記録媒体に記録された静止画像の画像信号を再生するデジタルカメラの制御方法であって、操作入力用の画像信号をモニタ上に表示するとともに、上記モニタが触れられることにより操作入力を受け付け、上記記録媒体に記録された静止画像を示すインデックス画像を含む操作入力用の画像信号を生成して上記表示入力手段の上記モニタ上に表示し、上記モニタ上に表示した上記インデックス画像が触れられることにより選択された静止画像に対する制御を行うことを特徴とする。
【手続補正書】
【提出日】平成18年6月1日(2006.6.1)
【手続補正１】
【補正対象書類名】明細書
【補正対象項目名】特許請求の範囲
【補正方法】変更
【補正の内容】
【特許請求の範囲】
【請求項１】  映像信号を入力する入力手段と、
ユーザが記録開始、終了を指示する第１の指示手段と、
上記入力される映像信号を上記第１の指示手段の指示に応じて記録媒体に記録する記録手段と、
上記第１の指示手段の記録開始の指示に応じて上記記録媒体への記録が開始されたときの第１の映像信号と、上記第１の指示手段の記録終了の指示に応じて上記記録媒体への記録が終了したときの第２の映像信号とを記憶する記憶手段と、
上記記録終了後ユーザが記録された映像の確認を指示する第２の指示手段と、
上記第２の指示手段の指示に応じて上記記憶手段に記憶された上記第１の映像信号、上記第２の映像信号を表示手段に表示する制御手段とを設けたことを特徴とする記録再生装置。
【請求項２】  上記制御手段は、上記第１の映像信号、上記第２の映像信号を順次表示することを特徴とする請求項１に記載の記録再生装置。
【請求項３】  上記制御手段は、上記第１の映像信号、上記第２の映像信号を同時に表示することを特徴とする請求項１に記載の記録再生装置。
【請求項４】  上記制御手段は、上記第１の映像信号、上記第２の映像信号を圧縮して上記記憶手段に記憶させ、この記憶された各映像信号を伸長して表示することを特徴とする請求項１に記載の記録再生装置。
【請求項５】  上記制御手段は、上記第１の映像信号、上記第２の映像信号を圧縮して上記記憶手段に記憶させ、表示する場合は上記記憶された各映像信号と上記入力手段からの映像信号とを合成し、その合成映像信号を上記表示手段に表示することを特徴とする請求項１に記載の記録再生装置。
【請求項６】  上記表示手段による表示が行われている状態で上記第１の指示手段により記録開始の指示があったとき、上記記憶手段はその記録が開始されたときの映像信号を記憶することを特徴とする請求項１に記載の記録再生装置。
【請求項７】  上記入力手段は、被写体を撮影して上記映像信号を出力する撮影手段であることを特徴とする請求項１に記載の記録再生装置。
【請求項８】  映像信号を入力する入力処理と、
記録開始の指示に応じて上記入力される映像信号を記録媒体に記録する記録処理と、
上記記録開始の指示に応じて上記記録媒体への記録が開始されたときの第１の映像信号を記憶手段に記憶する第１の記憶処理と、
記録終了の指示に応じて上記記録媒体への記録が終了したときの第２の映像信号を上記記憶手段に記憶する第２の記憶処理と、
上記記録終了後記録された映像を確認するための指示に応じて上記記憶手段に記憶された上記第１の映像信号、上記第２の映像信号を表示する表示処理とをコンピュータに実行させるためのプログラムを記憶したことを特徴とするコンピュータ読み取り可能な記憶媒体。
【請求項９】  上記記憶媒体と上記記録媒体とが同一の媒体であることを特徴とする請求項８に記載のコンピュータ読み取り可能な記憶媒体。
【手続補正２】
【補正対象書類名】明細書
【補正対象項目名】００１１
【補正方法】変更
【補正の内容】
【００１１】
【課題を解決するための手段】
上記の目的を達成するために、本発明による記録再生装置においては、映像信号を入力する入力手段と、ユーザが記録開始、終了を指示する第１の指示手段と、上記入力される映像信号を上記第１の指示手段の指示に応じて記録媒体に記録する記録手段と、上記第１の指示手段の記録開始の指示に応じて上記記録媒体への記録が開始されたときの第１の映像信号と、上記第１の指示手段の記録終了の指示に応じて上記記録媒体への記録が終了したときの第２の映像信号とを記憶する記憶手段と、上記記録終了後ユーザが記録された映像の確認を指示する第２の指示手段と、上記第２の指示手段の指示に応じて上記記憶手段に記憶された上記第１の映像信号、上記第２の映像信号を表示手段に表示する制御手段とを設けている。
【手続補正３】
【補正対象書類名】明細書
【補正対象項目名】００１２
【補正方法】変更
【補正の内容】
【００１２】
また、本発明によるコンピュータ読み取り可能な記憶媒体においては、映像信号を入力する入力処理と、記録開始の指示に応じて上記入力される映像信号を記録媒体に記録する記録処理と、上記記録開始の指示に応じて上記記録媒体への記録が開始されたときの第１の映像信号を記憶手段に記憶する第１の記憶処理と、記録終了の指示に応じて上記記録媒体への記録が終了したときの第２の映像信号を上記記憶手段に記憶する第２の記憶処理と、上記記録終了後記録された映像を確認するための指示に応じて上記記憶手段に記憶された上記第１の映像信号、上記第２の映像信号を表示する表示処理とをコンピュータに実行させるためのプログラムを記憶している。
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】